(57)【要約】【課題】本発明は、携帯電話装置が有する通信機能などを利用して、ユーザ間で番組視聴意向を授受することにより、他のユーザの番組視聴意向を反映した番組の選択および抽出が可能な携帯電話装置を提供することを目的とする。【解決手段】本発明による携帯電話装置は、放送受信手段１２を有する放送受信機能付き携帯電話装置１であって、番組情報を受信する番組情報受信手段１２、１７と、受信した番組情報を記憶する番組情報記憶手段２３と、外部との間で情報を授受する情報入出力手段１７と、携帯電話のユーザの番組視聴意向データと、情報入出力手段１７によって取得した外部のユーザの番組視聴意向データとを記憶する番組視聴意向データ記憶手段２４と、番組情報記憶手段２３に記憶された番組情報と番組視聴意向データ記憶手段２４に記憶された番組視聴意向データとに基づいて放送番組を抽出する番組抽出手段１１とを備えることを特徴とする。【選択図】図１
2008311811.tif 000002
【特許請求の範囲】
【請求項１】
放送番組を受信する放送受信手段を有する放送受信機能付き携帯電話装置において、
前記放送番組の番組情報を受信する番組情報受信手段と、
前記番組情報受信手段によって受信した前記番組情報を記憶する番組情報記憶手段と、
外部との間で情報を授受する情報入出力手段と、
前記携帯電話のユーザの番組視聴意向データと、前記情報入出力手段によって取得した外部のユーザの番組視聴意向データとを記憶する番組視聴意向データ記憶手段と、
前記番組情報記憶手段に記憶された前記番組情報と前記番組視聴意向データ記憶手段に記憶された前記番組視聴意向データとに基づいて放送番組を抽出する番組抽出手段と、
を備える、携帯電話装置。
【請求項２】
請求項１に記載の携帯電話装置において、
前記外部の各ユーザの前記番組視聴意向データを重視する度合いを示す重みと前記重みを選択する手段とを有するユーザ設定データを記憶するユーザ設定データ記憶手段
をさらに備え、前記ユーザ設定データに基づいて放送番組を抽出することを特徴とする、携帯電話装置。
【請求項３】
請求項２に記載の携帯電話装置において、
前記ユーザ設定データの前記重みは番組ジャンルごとに設定されることを特徴とする、携帯電話装置。
【請求項４】
請求項１ないし請求項３のいずれかに記載の携帯電話装置において、
前記番組抽出手段によって抽出された前記放送番組の情報を前記情報入出力手段によって外部のユーザに送信することを特徴とする、携帯電話装置。
【請求項５】
請求項１ないし請求項４のいずれかに記載の携帯電話装置において、
前記番組視聴意向データ記憶手段の一部または全てを、外部に設けられた番組視聴意向データ記憶サーバに記憶させることを特徴とする、携帯電話装置。
【請求項６】
請求項１ないし請求項５のいずれかに記載の携帯電話装置において、
前記情報入出力手段として音声入出力機能を有する音声入出力手段
を備えることを特徴とする、携帯電話装置。
【請求項７】
請求項１ないし請求項５のいずれかに記載の携帯電話装置において、
前記情報入出力手段としてメール送受信機能を有するメール送受信手段
を備えることを特徴とする、携帯電話装置。
【請求項８】
請求項１ないし請求項５のいずれかに記載の携帯電話装置において、
前記情報入出力手段として赤外線通信機能を有する赤外線通信手段
を備えることを特徴とする、携帯電話装置。
【請求項９】
請求項１ないし請求項５のいずれかに記載の携帯電話装置において、
前記情報入出力手段としてＢｌｕｅｔｏｏｔｈ通信機能を有するＢｌｕｅｔｏｏｔｈ通信手段
を備えることを特徴とする、携帯電話装置。
【請求項１０】
請求項１ないし請求項５のいずれかに記載の携帯電話装置において、
前記情報入出力手段として外部記憶装置接続機能を有する外部記憶装置接続手段
を備えることを特徴とする、携帯電話装置。
【請求項１１】
請求項１ないし請求項５のいずれかに記載の携帯電話装置において、
前記情報入出力手段としてインターネットアクセス機能を有するインターネットアクセス手段
を備えることを特徴とする、携帯電話装置。
【請求項１２】
請求項１ないし請求項５のいずれかに記載の携帯電話装置において、
前記入出力手段として、
音声出力機能を有する音声入出力手段と、
メール送受信機能を有するメール送受信手段と、
赤外線通信機能を有する赤外線通信手段と、
Ｂｌｕｅｔｏｏｔｈ通信機能を有するＢｌｕｅｔｏｏｔｈ通信手段と、
外部記憶装置接続機能を有する外部記憶装置接続手段と、
インターネットアクセス機能を有するインターネットアクセス手段と、
のうちの少なくとも１つを備えることを特徴とする、携帯電話装置。
【発明の詳細な説明】
【技術分野】
【０００１】
本発明は、ユーザ間で番組視聴データの授受が可能な携帯電話装置に関する。
【背景技術】
【０００２】
近年の携帯電話装置は、電話としての通話機能だけでなく、メール、ブラウジング、赤外線通信などの通信機能や、カメラ機能、音楽録音再生機能、動画録画再生機能などのマルチメディア機能が搭載されて高機能化が進んでおり、携帯電話装置は総合情報端末として利用されるようになってきている。
【０００３】
最近では、上記の機能に加えてテレビ放送視聴機能が搭載されるようになり、家庭内だけでなく外出先でのテレビ放送の視聴が一般的になりつつある。このようなテレビ放送の視聴において、ユーザの嗜好に合った番組を容易に選択して抽出する方法が望まれている。
【０００４】
従来のテレビ放送の番組検索方法は、紙媒体主体のテレビ番組表であったが、現在は電子番組表（Ｅｌｅｃｔｒｏｎｉｃ  Ｐｒｏｇｒａｍ  Ｇｕｉｄｅ：ＥＰＧ）を利用したものが主流となってきており、ユーザの視聴履歴またはキーワード入力から作成されるユーザの嗜好データベースとＥＰＧとを利用することによって、ユーザの嗜好に合った番組の抽出および自動録画が可能となっている。
【０００５】
このような機能を利用した嗜好データベースの作成および番組抽出方法としては、ユーザが作成したメールなどのデータからユーザの嗜好情報を抽出することによって、ユーザの番組視聴意向に高いレベルで合致した番組を選択および抽出できる嗜好データベースを作成している（例えば、特許文献１参照）。
【０００６】
【特許文献１】特開２００６−７４３７６号公報
【発明の開示】
【発明が解決しようとする課題】
【０００７】
特許文献１では、携帯電話装置のユーザが作成したデータなどから嗜好データを抽出するものであり、ユーザ以外の番組視聴意向を利用して番組の抽出を行なうことは考慮しておらず、ユーザ以外の番組視聴意向を反映した番組の選択および抽出ができないという問題があった。
【０００８】
本発明は、これらの問題を解決するためになされたもので、携帯電話装置が有する通信機能などを利用して、ユーザ間で番組視聴意向を授受することにより、他のユーザの番組視聴意向を反映した番組の選択および抽出が可能な携帯電話装置を提供することを目的とする。
【課題を解決するための手段】
【０００９】
上記の課題を解決するために、本発明による携帯電話装置は、放送番組を受信する放送受信手段を有する放送受信機能付き携帯電話装置であって、放送番組の番組情報を受信する番組情報受信手段と、番組情報受信手段によって受信した番組情報を記憶する番組情報記憶手段と、外部との間で情報を授受する情報入出力手段と、携帯電話のユーザの番組視聴意向データと、情報入出力手段によって取得した外部のユーザの番組視聴意向データとを記憶する番組視聴意向データ記憶手段と、番組情報記憶手段に記憶された番組情報と番組視聴意向データ記憶手段に記憶された番組視聴意向データとに基づいて放送番組を抽出する番組抽出手段とを備えることを特徴とする。
【発明の効果】
【００１０】
本発明は、請求項１に記載のように、放送番組を受信する放送受信手段を有する放送受信機能付き携帯電話装置であって、番組情報受信手段は放送番組の番組情報を受信し、番組記憶手段は番組情報受信手段によって受信した番組情報を記憶し、情報入出力手段は外部との間で情報を授受し、番組視聴意向データ記憶手段は携帯電話のユーザの番組視聴意向データと、情報入出力手段によって取得した外部のユーザの番組視聴意向データとを記憶し、番組抽出手段は番組情報記憶手段に記憶された番組情報と番組視聴意向データ記憶手段に記憶された番組視聴意向データとに基づいて放送番組を抽出するので、携帯電話装置が有する通信機能などを利用して、ユーザ間で番組視聴意向を授受することにより、他のユーザの番組視聴意向を反映した番組の選択および抽出が可能である。
【発明を実施するための最良の形態】
【００１１】
本発明の実施形態について、図面に基づいて以下に説明する。
【００１２】
〈実施形態１〉
図１は、本発明の実施形態１による放送受信機能付き携帯電話装置１の構成を示すブロック図である。図１に示すように、放送番組は番組情報を受信する放送受信機能部１２（番組情報受信手段）で受信され、受信した放送番組の音声および画像はそれぞれ発音部１３および表示部１４から出力される。キー入力などの操作は操作部１５で行なわれ、操作に対するガイダンスなどは主に表示部１４に表示される。入力されたデータはメモリ１６に記憶される。メモリ１６（番組情報記憶手段、番組視聴意向データ記憶手段）は、入力されたデータだけでなく放送受信機能部１２で受信された番組情報なども記憶する。外部との間で情報を授受する番組視聴意向入出力部１７（情報入出力手段）は、携帯電話装置１の外部との番組視聴意向情報を授受するだけでなく、番組情報も受信している。ＣＰＵ１１（番組抽出手段）は、携帯電話装置１の全体を制御している。なお、番組情報はＥＰＧなどから取得することができ、例えば番組名、放送時刻、出演者名などを含んでいる。また、番組視聴意向とは、ユーザがどのような番組を視聴しようと考えているのかという意向を表すものであり、番組視聴予約、番組録画予約、過去の視聴履歴などである。番組視聴意向は、ユーザの好みの番組内容だけではなく、ユーザが好まない番組内容についてであってもよい。
【００１３】
図２は、本発明の実施形態１による放送受信機能付き携帯電話装置１におけるメモリ１６の構成例を示す図である。図２に示すように、メモリ１６は、プログラム格納領域２１、ユーザ設定データ格納領域２２、番組情報格納領域２３、番組視聴意向データベース２４、録画データ格納領域２５から構成される。
【００１４】
プログラム格納領域２１には、ＣＰＵ１１によって放送受信機能付き携帯電話装置１の動作を制御するためのプログラムが格納されている。ユーザ設定データ格納領域２２には、表示部１４に表示されるガイダンスに従って操作部１５から入力した設定データが格納されている。設定データとしては、他のユーザの番組視聴データを重視する度合いを示す重みや、番組視聴意向取得に用いた手段の種別などがある。番組情報格納領域２３には、放送受信機能部１２または番組視聴意向入出力部１７によって取得されたＥＰＧ等の番組情報が格納されている。番組視聴意向データベース２４（番組視聴意向データ記憶手段）には、携帯電話装置１のユーザ（以下、オーナという）および携帯電話装置１以外のユーザ（以下、ユーザという）のうちの少なくとも１人以上分の番組視聴意向がデータベースとして格納されている。番組視聴意向データベース２４は必ずしも１つではなく、番組視聴意向データベースＡ（２４ａ）、番組視聴意向データベースＢ（２４ｂ）、・・・のように、複数の番組視聴意向データベースを格納するように構成することも可能である。録画データ格納領域２５には、放送受信機能部１２によって受信された放送番組の音声データおよび画像データが録画データとして格納されており、録画データ１（２５ａ）、録画データ２（２５ｂ）、・・・のように複数の録画データの格納が可能なように構成されている。
【００１５】
図３は、本発明の実施形態１による放送受信機能付き携帯電話装置１における番組視聴意向入出力部１７の構成例を示す図である。図３に示すように、番組視聴意向入出力部１７は、音声入出力部３１、メール送受信部３２、赤外線通信入出力部３３、Ｂｌｕｅｔｏｏｔｈ通信入出力部３４、外部記憶装置接続部３５、インターネットアクセス部３６から構成される。
【００１６】
音声入出力機能を有する音声入出力部３１（音声入出力手段）は、他の携帯電話装置などのユーザとの間における発着信による音声の送受信や、放送番組の視聴時の音声再生などに用いられる。音声入出力部３１による番組視聴意向は、例えば音声認識を利用することによって、他の携帯電話装置などのユーザとの間における音声通話を解析したり、受信した放送の音声を解析したりすることによって取得される。すなわち、音声認識を利用して音声通話または受信した放送番組の音声から単語を抽出し、その単語をキーワードとして番組情報の中から該当する番組を検索することによって、番組視聴意向を取得することができる。
【００１７】
メール送受信機能を有するメール送受信部３２（メール送受信手段）は、オーナと他のユーザの携帯電話装置との間におけるメール送受信に用いられる。メール送受信部３２を利用して番組視聴意向を授受する方法としては、メール本文またはメールの添付ファイルを授受するだけでなく、例えばメールのヘッダ情報に番組視聴意向を含めて送受信するなど、ユーザが特別に意識せずに番組視聴意向を送受信するようにしてもよい。例えば、本発明の実施形態によるオーナと他の携帯電話装置のユーザとの間でメールを授受する場合、オーナから他のユーザにメールを送信するときにメールのヘッダ情報に番組視聴意向の送信要求のメッセージを付加した状態で送信する。メールを受信した他のユーザの携帯電話装置は、返信メールのヘッダ情報に番組視聴意向を付加した状態でオーナに送信する。このことにより、番組視聴意向はオーナが特別に意識することなくメール送受信部３２を利用して授受することが可能となる。
【００１８】
赤外線通信機能を有する赤外線通信入出力部３３は、携帯電話装置１が備える赤外線通信機能を利用して他のユーザの携帯電話装置などとの間において番組視聴意向を送受信するために用いられる。また、Ｂｌｕｅｔｏｏｔｈ通信機能を有するＢｌｕｅｔｏｏｔｈ（登録商標）通信入出力部３４は、携帯電話装置１が備えるＢｌｕｅｔｏｏｔｈ通信機能を利用して他のユーザの携帯電話装置などとの間において番組視聴意向を送受信するために用いられる。赤外線通信入出力部３３およびＢｌｕｅｔｏｏｔｈ通信入出力部３４を用いて番組視聴意向を授受する方法としては、例えば、オーナから他のユーザへ番組視聴意向の送信要求を送信し、他のユーザは受信した送信要求に対する応答として番組視聴意向を返送するようにすればよい。また、電話帳情報の授受などをするときに、併せて番組視聴意向の授受を行なうようにしてもよい。
【００１９】
外部記憶装置接続機能を有する外部記憶装置接続部３５は、外部記憶装置であるメモリカードなどと接続し、外部記憶装置を介して他のユーザの携帯電話装置などとの間において番組視聴意向を送受信するために用いられる。外部記憶装置接続部３５を用いて番組視聴意向を授受する方法としては、例えば、予め他のユーザに番組視聴意向をメモリカードに記憶させておき、そのメモリカードに記録された番組視聴意向をオーナの外部記憶装置接続部３５を用いて読み出すようにすればよい。また、別の方法として、オーナが携帯電話装置１の外部記憶装置接続部３５を用いてメモリカードに番組視聴意向の送信要求を記録しておき、他のユーザはそのメモリカードを携帯電話装置の外部記憶装置接続部３５を用いて読み出し、送信側の番組視聴意向の送信要求に応じて番組視聴意向をメモリカードに記録するようにしてもよい。このことにより、番組視聴意向はオーナが特別に意識することなく外部記憶接続部３５を利用して授受することが可能となる。
【００２０】
インターネットアクセス機能を有するインターネットアクセス部３６は、インターネット上に接続されたオーナと他のユーザとの間において、インターネットを経由して番組視聴意向を送受信するために用いられる。インターネットアクセス部３６を用いて番組視聴意向を授受する方法としては、例えば、インターネットアクセスに広く用いられているＨＴＴＰ（ＨｙｐｅｒＴｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）等のプロトコルを使用して番組視聴意向の送信要求や番組視聴意向の送受信を行なうようにすればよい。
【００２１】
なお、メール送受信部３２、赤外線通信入出力部３３、Ｂｌｕｅｔｏｏｔｈ通信入出力部３４、外部記憶装置接続部３５、インターネットアクセス部３６を用いて番組視聴意向を取得する場合において、番組視聴意向自体を取得するだけでなく、他のユーザとの間で送受信した情報の内容から単語をキーワードとして抽出し、そのキーワードに基づいて番組情報の中から該当する番組を検索するといった番組視聴意向の取得方法であってもよい。
【００２２】
図４は、本発明の実施形態１による放送受信機能付き携帯電話装置１における番組視聴意向データベース２４に番組視聴意向を記憶する際のＣＰＵ１１による処理手順を示すフローチャートである。オーナの操作などによって番組視聴動作が起動されると（ステップＳ４１）、番組視聴意向入出力部１７を用いて外部から番組視聴意向の取得が行なわれる（ステップＳ４２）。取得した番組視聴意向に基づいて、番組視聴意向データベース２４から更新対象となるデータベースが検索される（ステップＳ４３）。そして、番組視聴意向データベース２４に更新対象となるデータベースが存在するのかどうかの判定が行なわれる（ステップＳ４４）。更新対象となるデータベースが存在しなければ番組視聴意向データベース２４を新たに作成して処理を終了する（ステップＳ４５）。一方、更新対象となるデータベースが存在するときは、該当する番組視聴意向データベース２４の内容を更新し（ステップＳ４６）、処理を終了する。
【００２３】
図５は、本発明の実施形態１による放送受信機能付き携帯電話装置１における番組抽出のＣＰＵ１１による処理手順を示すフローチャートである。ユーザの操作などによって番組抽出の処理が起動されると（ステップＳ５１）、番組視聴意向データベース２４から番組情報に含まれる番組と合致する他のユーザの番組視聴意向があるのかどうかの検索が行なわれる（ステップＳ５２）。検索結果から該当する番組があるのかどうかを判定し（ステップＳ５３）、該当する番組があったときは該当番組の一覧表示を行なって処理を終了する（ステップＳ５４）。一方、該当する番組がないときは該当する番組がないことをユーザに通知して処理を終了する（ステップＳ５５）。
【００２４】
本発明に実施形態１において、実際に番組を抽出するときの携帯電話装置１の動作（番組抽出手段）について簡単に説明する。
【００２５】
まず、携帯電話装置のオーナは、番組の視聴の前に、放送受信機能部１２および番組視聴意向入出力部１７を用いて番組情報を受信する。受信した番組情報は、番組情報格納領域２３に格納される。次に、オーナが操作部１５を操作することによって、番組視聴意向入出力部１７を用いて他のユーザの番組視聴意向を取得する。例えば、他のユーザＡおよび他のユーザＢが存在する場合、取得した番組視聴意向は、番組視聴意向データベースに２４内のそれぞれのユーザに対応する番組視聴意向データベースＡ（２４ａ）および番組視聴意向データベースＢ（２４ｂ）として格納される。これらの処理は、図４に示すフローチャートの通りであり、他のユーザＡの番組視聴意向を取得した場合は、番組視聴意向データベース２４中から他のユーザＡに対応した番組視聴意向データベースＡ（２４ａ）が検索され（ステップＳ４３）、取得した番組視聴意向の内容を反映して番組視聴意向データベースＡ（２４ａ）の内容が更新される。このとき、新たな他のユーザＣから番組視聴意向を取得した場合は、番組視聴意向データベース２４中に番組視聴意向データベースＣを新たに作成して格納される。また、オーナ自身の番組視聴意向についても、番組視聴や番組視聴予約などの操作に応じてオーナに対応する番組視聴意向データベース２４に格納される。なお、本発明の実施形態１において、番組視聴意向入出力部１７の動作は、オーナが操作を行なったときや番組の視聴を開始したときに自動的に動作されるような構成にしてもよく、また、例えばメール送受信部３２を用いてメールの送信を行なうときなど、番組視聴意向入出力部１７のうちのいずれかが動作するときに自動的に番組視聴意向の取得動作を行なうような構成にしてもよい。
【００２６】
番組抽出の動作は、ユーザが番組視聴を開始するか、または番組情報を閲覧したときなどに行なわれる。図５に示す処理はこのときに行なわれる。例えば、番組視聴意向データベース２４には、オーナ、他のユーザＡ、他のユーザＢのそれぞれの番組視聴意向が格納されている場合、ステップＳ５２において「複数のユーザの番組視聴意向に含まれていること」を番組抽出の条件とすると、番組情報格納領域２３に格納されている番組情報から、（１）オーナおよび他のユーザの番組視聴意向に含まれる番組、（２）オーナおよび他のユーザＢの番組視聴意向に含まれる番組、（３）他のユーザＡおよび他のユーザＢの番組視聴意向に含まれる番組、（４）全てのユーザの番組視聴意向に含まれる番組、の４通りのうちの少なくともいずれか１つに合致する番組が抽出される。ステップＳ５４において、該当する番組の一覧を表示する場合、例えば、表示部１４に表示される番組情報のうち、抽出した番組情報を強調して表示することや、抽出した番組情報のみを表示することによってオーナに分かりやすく表示するようにしてもよい。また、抽出した番組情報を番組視聴予約に登録し、番組の視聴を促すようにしてもよい。
【００２７】
以上のことから、放送受信機能付き携帯電話装置が有する通信機能などを利用してオーナと他のユーザとの間で番組視聴意向を授受することにより、オーナだけでなく他のユーザの番組視聴意向を反映した番組の抽出が可能となる。
【００２８】
〈実施形態２〉
本発明の実施形態２は、ユーザ設定データ格納領域２２を用いることを特徴としている。ユーザ設定データ格納領域２２には、少なくとも１人以上の他のユーザのそれぞれに対応付けられたユーザ設定データ格納されている。ユーザ設定データを記憶するユーザ設定データ格納領域２２（ユーザ設定データ記憶手段）には、それぞれのユーザの番組視聴意向データをどの程度重視するのかという重みを含むユーザ設定データが格納されており、放送受信機能付き携帯電話装置１のユーザはユーザごとに重みを設定することができ、番組抽出時に重みを選択することができる。例えば、携帯電話装置１のオーナにとって非常に親しいユーザにとっては、番組抽出時に親しいユーザの番組視聴意向が重視されるように大きな重みを設定することができる。ユーザ設定データは、表示部１４に表示されたガイダンスに従って操作部１５から入力することによって作成される。なお、実施形態２に記載以外の構成および動作については実施形態１と同様であるため、ここでは説明を省略する。
【００２９】
図６は、本発明の実施形態２による放送受信機能付き携帯電話装置１における重視するユーザの番組視聴意向を抽出するためのＣＰＵ１１による処理手順を示すフローチャートである。図６に示す処理は、図５のステップＳ５２における検索対象となるデータベースを選択するための処理である。図６に示すように、ユーザ設定データ格納領域２２に格納されているユーザ設定データから１人を選択し（ステップＳ６１）、選択されたユーザの重みがオーナが予め設定した重みＷ以上であるかどうかの判定を行なう（ステップＳ６２）。判定の結果、選択されたユーザの重みがＷ以上である場合のみ、そのユーザに対応する番組視聴意向データベースを番組抽出時の検索対象に追加される（ステップＳ６３）。そして、ユーザ設定データ格納領域２２に格納されている全てのユーザに対して重みを確認したかどうかの判定を行い（ステップＳ６４）、確認していないユーザが存在していればステップＳ６１に戻って重みの判定を行なう。全てのユーザに対して重みの確認ができていれば処理を終了する。
【００３０】
なお、本発明の実施形態２における図６の処理手順は番組抽出方法の一例であり、例えば、図５のステップＳ５４において、重視すべきユーザの番組視聴意向データベース２４に含まれ、さらにそれ以外のユーザの番組視聴意向データベース２４にも含まれる番組を該当する番組であると判定するようにしてもよい。また、重みが設定した値であるＷ以下のユーザの番組視聴意向は番組抽出時に反映されないため、例えば図４のステップＳ４４においてＷ以下のユーザの番組視聴意向データベース２４を更新の対象としないようにしてもよい。
【００３１】
以上のことから、ユーザ設定データに含められたそれぞれのユーザの番組視聴意向をどの程度重視するのかという重みによって、オーナはより重視すべき他のユーザの番組視聴意向の合致した番組の抽出が可能となる。
【００３２】
〈実施形態３〉
本発明の実施形態３は、ユーザ設定データに含まれるそれぞれのユーザに対する番組視聴意向を重視する程度である重みを、番組のジャンルごとに設定できるように構成されていることを特徴とする。本発明の実施形態３のユーザ設定データは、それぞれのユーザの番組視聴意向の重みを番組のジャンルごとに設定されており、放送受信機能付き携帯電話装置１のユーザはその重みを設定することができる。なお、実施形態３に記載以外の構成および動作については実施形態１と同様であるため、ここでは説明を省略する。
【００３３】
例えば、あるユーザが旅行に慣れて観光地に詳しいときには、そのユーザの番組視聴意向のうち旅行番組に関する番組視聴意向を投に重視するように重みを設定することができる。すなわち、旅行や観光に詳しいが芸能に疎いユーザＡと、芸能に詳しいが旅行や観光には疎いユーザＢが存在する場合において、オーナは、例えばユーザＡのユーザ設定データの旅行ジャンルおよび芸能ジャンルの重みをそれぞれ１０および０とすることができる。一方、ユーザＢのユーザ設定データの旅行ジャンルおよび芸能ジャンルの重みをそれぞれ０、１０とすることができる。こうすることによって、番組抽出時に、旅行ジャンルについてはユーザＡの番組視聴意向が、芸能ジャンルについてはユーザＢの番組視聴意向が重視される。
【００３４】
以上のことから、ユーザ設定データに含められたそれぞれのユーザの番組視聴意向をどの程度重視するのかという重みを番組のジャンルごとに設定することによって、オーナにとって有益な情報源となる番組の抽出が可能となる。
【００３５】
〈実施形態４〉
本発明の実施形態４は、オーナに対して抽出された番組情報と他のユーザの番組視聴意向とに基づいて抽出された番組を、第三者の他のユーザに提供することを特徴としている。すなわち、番組抽出手段によって抽出された放送番組情報を番組視聴意向入出力部１７によって外部のユーザに送信することを特徴とする。なお、実施形態４に記載以外の構成および動作については実施形態１と同様であるため、ここでは説明を省略する。
【００３６】
例えば、オーナ、他のユーザＡ、他のユーザＢが存在し、他のユーザＡに番組を提供するとする。この場合は、オーナ、他のユーザＡ、他のユーザＢのそれぞれの番組視聴意向に基づいて抽出された番組情報と、放送受信機能付き携帯電話装置１のユーザおよび他のユーザＢのそれぞれの番組視聴意向に基づいて抽出された番組情報とに基づいて番組が抽出される。抽出された番組情報を他のユーザＡに提供する方法として、例えばメール送受信部３２を利用する場合には、番組が抽出されたときに他のユーザＡへのメールを作成するようにし、そのメールに他のユーザＡに提供する番組情報を添付するようにしてもよい。また、他のユーザＡにメールを送信する必要が生じたときにメールに番組情報を添付して送信するようにしてもよい。なお、実施形態２と組み合わせて、一定値以上の重みを設定したユーザにのみ番組情報を抽出するようにしてもよい。また、実施形態３と組み合わせて、重みが大きなジャンルの番組情報のみを他のユーザに提供するようにしてもよい。
【００３７】
以上のことから、オーナが他のユーザとの話題形成を意図する場合において、そのユーザの視聴行動に効率良く直接的に働きかけることが可能となる。
【００３８】
〈実施形態５〉
本発明の実施形態５は、番組視聴意向データベース２４について、携帯電話装置１に備えられた番組視聴意向データベース２４だけでなく、外部に備えられた番組視聴意向データベースサーバ４１に備えられた番組視聴意向データベース２４も利用していることを特徴としている。すなわち、メモリ１６の一部または全てを外部に設けられた番組視聴意向データベースサーバ４１に記憶させることを特徴とする。なお、実施形態５に記載以外の構成および動作については実施形態１と同様であるため、ここでは説明を省略する。
【００３９】
図７は、本発明の実施形態５による携帯電話装置１における番組視聴意向データベースサーバ４１の構成例を示す図である。図７に示すように、番組視聴意向データベースサーバ４１は、番組視聴意向データベース２４を備えており、構成は携帯電話装置１に備えられた番組視聴意向データベース２４と同様である。また、番組視聴意向データベースサーバ４１はインターネットアクセス部４２を備えており、インターネット４３を介して携帯電話装置１ａおよび携帯電話装置１ｂと接続されている。携帯電話装置１ａおよび携帯電話装置１ｂは、それぞれが備えるインターネットアクセス部３６を用いて番組視聴意向を番組視聴意向データベースサーバ４１に送信する。番組視聴意向データベースサーバ４１は、受信したそれぞれの番組視聴意向を番組視聴意向データベース２４に格納するとともに、携帯電話装置１ａおよび携帯電話装置１ｂから送信されてきた番組視聴意向の送信要求に応じて番組視聴意向を返信する。
【００４０】
なお、携帯電話装置１内部に番組視聴意向データベース２４を備えずに、必要に応じて番組視聴意向データベースサーバ４１にアクセスするような構成にしてもよい。このような構成にすることによって、携帯電話装置１内に備えられたメモリ１６のサイズを小さくすることができ、携帯電話装置１の小型化、軽量化、低コスト化、低消費電力化などの効果が期待できる。また、本発明の実施形態５では、番組視聴意向データベース２４へのアクセスをインターネット４３経由で行なったが、インターネット４３経由だけでなく、例えば携帯電話装置１と番組視聴意向データベース４１との両方にＢｌｕｅｔｏｏｔｈ通信入出力部を備えてＢｌｕｅｔｏｏｔｈ通信によって番組視聴意向を送受信するような構成であってもよい。
【００４１】
以上のことから、番組視聴意向データベースサーバ４１を外部に備えることによって、番組視聴意向データベース２４を携帯電話１の内部に備えるよりも多くのユーザの番組視聴意向を取り扱うことが可能となる。また、ユーザ１人あたりの番組視聴意向データベース２４を大きくすることも可能となる。
【図面の簡単な説明】
【００４２】
【図１】本発明の実施形態１による放送受信機能付き携帯電話装置の構成を示すブロック図である。
【図２】本発明の実施形態１による放送受信機能付き携帯電話装置におけるメモリの構成例を示す図である。
【図３】本発明の実施形態１による放送受信機能付き携帯電話装置における番組視聴意向入出力部の構成例を示す図である。
【図４】本発明の実施形態１による放送受信機能付き携帯電話装置１における番組視聴意向データベースに番組視聴意向を記憶する際のＣＰＵによる処理手順を示すフローチャートである。
【図５】本発明の実施形態１による放送受信機能付き携帯電話装置における番組抽出のＣＰＵによる処理手順を示すフローチャートである。
【図６】本発明の実施形態２による放送受信機能付き携帯電話装置における重視するユーザの番組視聴意向を抽出するためのＣＰＵによる処理手順を示すフローチャートである。
【図７】本発明の実施形態５による放送受信機能付き携帯電話装置における番組視聴意向データベースサーバの構成例を示す図である。
【符号の説明】
【００４３】
１  携帯電話装置、１ａ  携帯電話装置、１ｂ  携帯電話装置、１１  ＣＰＵ、１２  放送受信機能部、１３  発音部、１４  表示部、１５  操作部、１６  メモリ、１７  番組視聴意向入出力部、２１  プログラム格納領域、２２  ユーザ設定データ格納領域、２３  番組情報格納領域、２４  番組視聴意向データベース、２４ａ  番組視聴意向データベースＡ、２４ｂ  番組視聴意向データベースＢ、３１  音声入出力部、３２  メール送受信部、３３  赤外線通信入出力部、３４  Ｂｌｕｅｔｏｏｔｈ通信入出力部、３５  外部記憶装置接続部、３６  インターネットアクセス部、４１  番組視聴意向データベースサーバ、４２  インターネット。
【図１】
2008311811.tif 000003
【図２】
2008311811.tif 000004
【図３】
2008311811.tif 000005
【図４】
2008311811.tif 000006
【図５】
2008311811.tif 000007
【図６】
2008311811.tif 000008
【図７】
2008311811.tif 000009